(57)【要約】本発明は、基部（１２０）と先端部（１３０）との間に延びる前面（１５０）と後面（１６０）とを含む、スポーツシューズ用の万能クリート（１００）に関する。先端部（１３０）は、クリートの基部（１２０）に対してオフセットされ、クリートは中間壁（１８０）によって分離された２つのキャビティ（１７０）を含み、各キャビティ（１７０）は前記クリートの前記先端部（１３０）および前記後面（１６０）の両方に向かって開かれている。
2019524413.tif 000002
【特許請求の範囲】
【請求項１】
基部（１２０）と先端部（１３０）との間に延びる前面（１５０）および後面（１６０）を有するシューズ用の万能クリート（１００）であって、前記先端部（１３０）が前記クリートの前記基部（１２０）に対してオフセットされること、および、前記クリートが、中間壁（１８０）によって分離される２つのキャビティ（１７０）を含み、各キャビティ（１７０）は、前記クリートが地面から抜き取られるときに土が自然に剥落しやすいように前記クリートの前記先端部（１３０）および前記後面（１６０）の両方に向かって開かれていることを特徴とするクリート（１００）。
【請求項２】
前記クリート（１００）の前記基部（１２０）の割線である同じキャビティ（１７０）の面（１７２、１７４）が３０°〜１２０°の間に含まれる角度、好ましくは８０°〜１００°の間の角度を形成することを特徴とする、請求項１に記載のクリート（１００）。
【請求項３】
前記基部（１２０）の中心（Ａ）および前記先端部（１３０）の中心（Ｂ）が、前記基部（１２０）と鋭角（α）を成す直線（ＡＢ）を規定するように配置され、好ましくはこの角度の値は６０°〜８０°の間に含まれることを特徴とする、請求項１または２に記載のクリート（１００）。
【請求項４】
前記クリートの前記先端部（１３０）が前記基部（１２０）の表面の６０％未満、好ましくは５０％〜２０％の間に含まれる表面面積を有することを特徴とする、請求項１〜３のいずれか一項に記載のクリート（１００）。
【請求項５】
少なくとも１つのキャビティ（１７０）が、前記クリートの前記基部（１２０）を前記先端部（１３０）から隔てる距離の少なくとも５０％にわたって、好ましくはこの距離の少なくとも８０％にわたって延びることを特徴とする、請求項１〜４のいずれか一項に記載のクリート（１００）。
【請求項６】
少なくとも１つのキャビティ（１７０）が、前記クリートの前記前面（１５０）の反対側の第１の面（１７２）を含むこと、および、前記第１の面（１７２）は凹状であることを特徴とする、請求項１〜５のいずれか一項に記載のクリート（１００）。
【請求項７】
その基部（１２０）から延びる締結手段（１４０）を含み、前記締結手段はシューズに対する前記クリート（１００）の可逆的な締結を可能にするように構成される、請求項１〜６のいずれか一項に記載のクリート（１００）。
【請求項８】
前記締結手段が前記クリートの前記基部（１２０）に対して垂直に延びるネジ付きロッド（１４０）を含むことを特徴とする、請求項７に記載のクリート（１００）。
【請求項９】
請求項１〜８のいずれか一項に記載の少なくとも１つのクリート（１００）を含むシューズ。
【請求項１０】
請求項８に記載のクリート（１００）と、
その中心に開口部を備える、前記ネジ付きロッド（１４０）が通過できるように構成されたワッシャ（２４０）と、
前記クリート先端部（１３０）と相補的な形状のハウジング（２３０）と、前記ネジ付きロッド（１４０）の軸を中心とした前記クリート（１００）の回転を促すように構成された把持手段（２２０）とを含む道具（２１０）と
を含むクリート取り付けキット（２００）。
【請求項１１】
弾性ワッシャを含む、請求項１０に記載のクリート取り付けキット（２００）。
【発明の詳細な説明】
【技術分野】
【０００１】
本発明はシューズ用のクリートに関し、詳細には、地面に応じておよび／またはユーザが望む支持部分に応じてシューズの支持部分を簡単かつ迅速に適合させるために、シューズに対するその方向を修正可能な万能クリートに関する。
【背景技術】
【０００２】
クリート付きのシューズは、シューズのグリップ力を促進するために各種スポーツにおいて広く使用されている。クリートにより選手は踏み込みを急に変える際に滑ることが回避される。
【０００３】
例えば、ラグビーでは、選手は地面の上で素早く動くことができなければならない、選手を避けるために方向を急に変えることができなければならない、または相手選手の走りを止めるためにしっかり踏み込むことができなければならない。
【０００４】
現在使用されているクリート付きのスポーツシューズは、シューズ上のクリートの配置について選択肢は比較的少ない。今日、ラグビーのチームにおいて、各選手は、ピッチ上で特定のポジションを割り当てられている。例えば、スリークォーターバックは、速さと、方向を変える際の横方向の踏み込みにおける最大グリップ力とを主に必要とし、プロップは、スクラム中により多くの鈍化を必要とするが、横方向の安定性も必要とする。実際に、各選手は、その地面グリップ特性が自分に特別に合うシューズを欲しがる。したがって、各選手の期待に応えるように、スポーツシューズに簡単に適合可能であるクリートを提案することが賢明である。
【０００５】
クリートのグリップ力は特に地面の性質に依存し、その結果、選手は、地面の性質および／または気象条件に応じて、自分のシューズの１つまたはいくつかのクリートを変更しなければならない。
【０００６】
本発明の目的は、シューズ用のクリートを提案することであり、それはユーザが望む支持部分に応じて、地面に応じて、および気象条件に応じてシューズに簡単に適合可能であり、より優れたグリップ力およびユーザのより優れた快適性を提供する。
【発明の概要】
【課題を解決するための手段】
【０００７】
上述の目的を達成するために、本発明は、シューズ用の万能クリートであって、クリートの基部と先端部との間に延在する前面と後面とを有するクリートを提案する。言い換えれば、クリートの基部と先端部との間に、クリートの前面と後面とを含む横方向壁が延びている。言い換えれば、前面と後面とが接合されて、クリートの基部を囲む横方向壁を形成する。
【０００８】
本発明は、先端部がクリートの基部に対してオフセットされていること、およびクリートが中間壁によって分離された２つのキャビティを含み、各キャビティは、クリートが地面から抜き取られるときに土が自然に剥落しやすいようにクリートの先端面および後面の両方に向かって開いていることを特徴とする。
【０００９】
言い換えれば、各キャビティは対向面がないようにクリートの先端面と後面の両方に向かって開いている。「対向面」という用語は、３０°未満の角度を形成する２つの対向する面を意味する。この実施形態は、２つの対向面の間に取り込まれる土が蓄積しやすい対向面のないキャビティを形成することを有利に可能にする。対照的に、本発明は、クリートが地面から抜き取られたときにキャビティを満たしている土が自然に剥落する現象が起きるように、それらの側面のうちの３つで開いているキャビティを提案する。
【００１０】
本発明の好ましい実施形態によれば、クリートの基部の割線である同じキャビティの面は、前記キャビティ内に存在する土が自然に剥落しやすい角度を形成する。好ましくは、先端部の基部の割線である同じキャビティの面は、３０°〜１２０°の間に含まれる角度、好ましくは８０°〜１００°の間に含まれる角度、または約９０°の角度を形成する。
【００１１】
用語「オフセット」は、クリートの先端部がクリートの基部からずれているので、それらの中心が基部と鋭角を成す直線を規定することを意味する。言い換えれば、クリートはその基部に対して斜めに延びているので、クリートの地面への変位方向に対してクリートの向きを修正することによって、その変位に対抗する力の強さを制御することが可能である。したがって、本発明はまた、その地面への貫入およびグリップの特性を、ユーザが望む踏み込みの種類、土の性質および気象条件に応じて容易に適合させることができる万能クリートを提案する。
【００１２】
有利には、クリートのキャビティは、その表面を減少させ、したがってクリートの地面へのより良好な貫入に有利になるように、先端部のエッジに切欠きを形成する。キャビティはまた、地面中のクリートの接触表面を増大させるために、クリートの後面に凹部を形成する。より正確には、各キャビティは、クリートの前面とは反対側の第１の面と、中間壁の側面を形成する第２の面とを備える。第１の面は、地面中のクリートの後方への変位に対抗するように構成されている。第２の面は、クリートの横方向の変位に対抗するように構成されている。かくして、中間壁は、より正確でより確実なグリップ感を使用者に提供するために、地面中のクリートの横方向の変位を制限することを可能にする。
【００１３】
好ましくは、中間壁は対称的なキャビティを画定するように配置され、それにより地面が各キャビティでクリートの変位に対して異なる抵抗力を及ぼすのを防止するようにする。異なる抵抗力はクリートの回転運動を引き起こす可能性がある。
【００１４】
好ましい実施形態によれば、中間壁の第２の面が地面中のクリートの横方向の滑りを防止するべく最大限幅広くなるように、中間壁はクリートに対して半径方向に延びる。したがって、この実施形態は、クリートが地面から出るたびにキャビティ内に存在する土を規則的かつ自然に排出することを提供することによって、その使用中に地面中へのクリートの貫入性および定着性を保つことを可能にする。
【００１５】
本発明の別の特徴によれば、クリートの先端部の中心および基部の中心は、基部と鋭角をなす直線を規定するように配置される。好ましくは、この角度の値は、地面中のクリートのより良いグリップを可能にするために８０°未満である。この角度の値は、クリートが地面に貫入する際にクリートによって及ぼされる、シューズにかかる応力を制限するために、好ましくは６０°より大きい。実際、これらの制約は、それらが大きすぎると、ユーザに不快感をもたらし、または怪我をさせる可能性すらある。好ましい実施形態によれば、この角度の値は７５°程度であり、この値はクリートの良好なグリップ力と快適な使用との間の妥協点に対応する。もちろん、これらの値は、地面の性質、シューズに対するクリートの位置および／または向きに応じて変わる可能性がある。
【００１６】
本発明の別の実施形態によれば、後面の傾斜角は、クリートの基部に対する前面の傾斜角よりも大きい。言い換えれば、クリートの先端部は、キャビティのより大きな容積に有利なようにクリートの前部に向かって突出している。
【００１７】
好ましい実施形態によれば、クリートの基部の輪郭は楕円形または円形である。
【００１８】
本発明の別の特徴によれば、クリートの先端部はクリートの基部の表面の６０％未満の表面面積を有し、好ましくは先端部の表面は基部の表面の５０％〜２０％の間に含まれる。
【００１９】
本発明の他の特徴によれば、少なくとも１つのキャビティは、クリートの基部をクリートの先端部から隔てる距離の少なくとも５０％にわたって、好ましくはこの距離の少なくとも８０％にわたって延びている。言い換えれば、キャビティは、クリートの基部の輪郭の形状を変更しないように、クリートの高さの一部だけにわたって延在する。言い換えれば、クリートの基部とキャビティとの間で、横方向壁はクリートの全周囲に連続している。用語「高さ」とは、本明細書では、クリートの基部をクリートの先端部から隔てる距離を意味する。
【００２０】
好ましくは、基部および先端部は、平面または実質的に平面であり、互いに平行または実質的に平行である。好ましい実施形態によれば、先端部の表面は、クリートの地面への貫入に有利なようにわずかに凸状である。
【００２１】
本発明の別の特徴によれば、中間壁は、クリートの地面への貫入を促すために、クリートの後面において凹状である。
【００２２】
本発明の別の特徴によれば、少なくとも１つのキャビティは、クリートの前面とは反対側の凹状の第１の面を含む。第１の面の凹面は地面中のクリートのより良いグリップ力に有利である。対照的に、本発明の他の特徴によれば、クリートの前面は、地面への貫入に有利なように凸状であり、好ましくは滑らかな表面を有する。
【００２３】
本発明の別の特徴によれば、クリートはその基部から延びる締結手段を備え、締結手段は、クリートをシューズに可逆的に締結することを可能にするように構成されている。「可逆的」という用語は、ユーザが自由にクリートをシューズへ／から取り付けるまたは取り外す可能性を意味する。好ましい実施形態によれば、締結手段は、クリートの基部に対して垂直に延びるねじ付きロッドを含む。
【００２４】
本発明の他の特徴によれば、クリートはその重量を軽くするために切欠きおよび／または他のキャビティを含む。
【００２５】
本発明の他の特徴によれば、クリートは少なくとも２つの中間壁を含み、各中間壁はクリートの先端部および後面の両方に向かって開かれた２つのキャビティを分離する。好ましい実施形態によれば、中間壁は互いに平行である。別の好ましい実施形態によれば、中間壁は６０°未満、好ましくは１０°〜２０°の間に含まれる角度を形成するような割線である。
【００２６】
本発明はまた、上で定義したような少なくとも１つのクリートを含むシューズに関する。特に、本発明は、例えばラグビー、サッカー、ゴルフまたはその他の分野で使用されるスポーツシューズに装備を施すことを目的とする。
【００２７】
本発明はまた、
その基部に対して垂直に延びるねじ付きロッドを含む本発明によるクリートと、
ねじ付きロッドが通過できるように構成された、その中心に開口部を備えたワッシャと、
クリートの先端部と相補的な形状のハウジングと、ねじ付きロッドの軸を中心にクリートを回転させることを容易にするように構成された把持手段とを含む道具と、
を含む、上述のクリート取り付けキットに関する。
【００２８】
好ましくは、ワッシャは弾性的な性質のものである。したがって、クリートをシューズにねじ込む間、クリートとシューズとの間に挿入されたワッシャは、ワッシャの厚さを変えるように適合される応力を受ける。クリートとシューズとの間のワッシャのつぶれに応じて、クリートの向きを簡単に素早く修正することができる。したがって、取り付けキットは、同じクリートが同じシューズに多くの異なる取り付け位置を有することを可能にする。
【００２９】
上記の本発明の特徴および他の特徴は、非限定的な例の以下の詳細な記載を以下の添付の図面を参照して読むことでより明確になるだろう。
【図面の簡単な説明】
【００３０】
【図１】本発明によるクリートの側面図である。
【図２】図１に示すクリートの後面図である。
【図３】図１に示すクリートのわずかに斜視的な底面図である。
【図４】図１によるクリートを取り付けるためのキットからの道具の底面図である。
【図５】図４に示す道具の側面図である。
【図６】図１に示すクリートの側面図であり、取り付けキットのワッシャがクリートのネジ付きロッドの周囲に配置されている。
【図７】スポーツシューズソールの底面図であり、図１によるいくつかのクリートを含む。
【図８】図７に示すソールの代替実施形態である。
【発明を実施するための形態】
【００３１】
本発明は、ユーザが望む支持部分、地面および気象条件に応じてシューズに容易に適合可能なシューズ用のクリートを提案する。
【００３２】
図１〜３は、本発明によるクリート１００の非限定的な例示的な実施形態を示す。本例によれば、クリートは、基部１２０と先端部１３０との間に延びる横方向壁１１０を含む。より正確には、横方向壁１１０は、クリートの基部と先端部との間のクリート周囲の境界を定める。
【００３３】
クリート基部１２０は円形の形状であり、平らな表面を有する。基部の直径は１０ｍｍ〜１００ｍｍの間、好ましくは１０ｍｍ〜５０ｍｍの間に含まれる。本例によれば、基部１２０の直径は２０ｍｍ程度である。基部の中心Ａから、その表面に対して垂直にねじ付きロッド１４０が延びている。ロッドのねじの長さ、直径、およびピッチは、ユーザがねじ付きロッドをシューズのソールにねじ込むことを可能にするように構成されている。本例によれば、ねじ付きロッドは、ねじタイプＭ５×０．８および６ｍｍ程度の長さを特徴とする。
【００３４】
クリートの先端部１３０もまた平らな表面であり、基部１２０と平行または実質的に平行である。基部をその先端部から隔てる距離として定義される、クリートの高さは、５ｍｍ〜３０ｍｍの間、好ましくは１０ｍｍ〜２１ｍｍの間に含まれる。本例によれば、クリートの高さは１８ｍｍ程度である。先端部の中心Ｂはねじ付きロッド１４０の軸に対してオフセットされているので、中心ＡおよびＢは基部１２０と鋭角αを形成する直線（ＡＢ）を規定する。この角度の値は５０°〜８５°の間に含まれ、好ましくは上に記載した理由のために６０°〜９０°の間に含まれる。本例によれば、角度αの値は７５°程度である。後面はクリート基部に対して前面よりも傾斜していることに留意されたい。
【００３５】
図１に示すように、横方向壁１１０は前面１５０と後面１６０とを備える。後面１６０は前面１５０の反対側にあり、前記各面は、クリート１００の基部１２０を取り囲む横方向壁を形成するようにそのサイドで接合される。本例によれば、クリートの前面１５０は基部の周りに１８０°にわたり延在し、後面１５０は相補的に１８０°にわたり延在する。
【００３６】
後面１６０は図２に示すように２つの異なるキャビティ１７０を有する。各キャビティは、クリートの後面１６０と先端部１３０の両方に開いている。言い換えれば、キャビティは、クリートの後面１６０および先端部１３０に凹部を形成する。図示されていない代替実施形態によれば、キャビティ１７０は、前面１５０の一部にわたって延在し得ることに留意されたい。
【００３７】
図３に示されているように、キャビティ１７０は、先端部１３０に切欠き１３２を形成している。言い換えれば、キャビティ１７０は、その周囲の形状を変えるように先端部１３０に開いている。
【００３８】
キャビティ１７０は、先端部１３０の周囲が「Ｔ」字の形状に類似するように中間壁１８０に対して対称である。中間壁１８０は、クリートの前部から後部に向かう方向に沿って延び、図２および３で見ることができるクリートの後面１６０の一部によって境界を定められる。
【００３９】
好ましくは、先端部１３０の表面は基部の表面の２０％〜６０％の間に含まれる。本例によれば、先端部の表面は基部１２０の表面の３０％に対応する。
【００４０】
より正確には、各キャビティ１７０は、前面１５０の反対側のまたはクリート１００の前方の第１の面１７２、中間壁１８０の側面に対応する第２の面１７４、および基部１２０の反対側の第３の面１７６によって境界を定められる。第１の面１７２および第２の面１７４は、地中のクリートのより良好なグリップ力を促進するために凹状である。第３の面１７６は、基部１２０に対して平行または実質的に平行であり、先端部１３０から、クリートの高さの１０％〜９０％の間、好ましくは６０％〜８０％の間に含まれる距離の所に配置される。「高さ」という用語は、本明細書では、基部をクリート先端部から隔てる距離を意味する。本例によれば、第３の面１７６は、先端部１３０から、クリートの高さの７５％程度の距離の所に配置されている。結果として、キャビティ１７０は、クリートの基部１２０まで延びていない。
【００４１】
第２の面１７４は、ねじ付きロッド１４０の軸に対して半径方向または実質的に半径方向に延びる。第２の面１７４と第３の面１７６との交差部は、図３に示されるエッジ１７５を形成し、その長さは基部１２０の直径の２０％〜８０％、好ましくは５０％〜８０％の間に含まれる。本例によれば、エッジ１７５の長さは基部１２０の直径の５０％に対応する。同様に、第１の面１７２と第３の面１７６との間の交差部は、図２に示すエッジ１７３を形成し、その長さは基部１２０の直径の２０％〜８０％の間、好ましくは２０％から５０％の間に含まれる。本例によれば、エッジ１７３の長さは基部１２０の直径の３０％に対応する。
【００４２】
特に、エッジ１７３と１７５は３０°〜１２０°の間、好ましくは８０°〜１００°の間に含まれる角度βに従って交差する。この例では、角度βの値は９０°程度である。したがって、キャビティ１７０は、クリート１００の周囲の一部にわたって延在する。したがって、各キャビティ１７０は、クリート１００の周囲の５％〜３０％の間で延在することができる。本例によれば、各キャビティは、周囲の２０％にわたって延在する。
【００４３】
キャビティ１７０は、キャビティの第２の面１７４によって境界を定められる、図３に示される中間壁１８０によって分離される。キャビティの第２の面１７４の高さで後面１６０上で測定される中間壁の厚さは、クリート１００の周囲の１％〜３０％の間に対応する。本例によれば、その厚さは、クリートの周囲の５％程度である。好ましい実施形態によれば、第２の面１７４は互いに平行であるので、中間壁の厚さは一定である。対照的に、別の好ましい実施形態によれば、第２の面１７４は後面１６０で収束するように配置される。言い換えれば、中間壁１８０の厚さは、ねじ付きロッド１４０の軸に対して半径方向に沿って変化してもよい。好ましくは、中間壁１８０の厚さは後面１６０の近くで減少し、これによりテーパ状の外形を与え、これはクリートが地面へ貫入するのにより有利である。
【００４４】
本発明によるクリートの他の実施形態を得るために、示された値の範囲内で、上述の１つまたはいくつかの値を修正することが考えられることに留意されたい。言い換えれば、上述の１つまたはいくつかの値は、互いに独立して変更することができる。
【００４５】
上述のクリート１００は、錫、アルミニウム、チタン、マグネシウム、クロム−コバルト、および／または合成ポリマーのうちの少なくとも１つの材料から作製することができる。
【００４６】
好ましくは、クリート１００は、成形技術、注入技術、または３Ｄ印刷技術によって製造される。
【００４７】
本発明はまた、クリート１００をシューズのソールに取り付けるための図４から６に示されているキット２００に関する。取り付けキットは、図４および５に示す道具２１０を備える。道具２１０は、把持手段２２０と、クリート１００の先端部１３０に相補的な形状のハウジング２３０とを備える。したがって、道具２１０は、ユーザがクリートの一部をハウジング２３０内に係合ししっかり維持し、次いで把持手段２２０を使用してクリートをそのねじ付きロッド１４０の軸を中心に回転することを可能にするように構成される。道具２１０は、ユーザがより高い締付トルクでシューズのソールにねじ付きロッド１４０をねじ込むことを有利に可能にする。
【００４８】
取り付けキット２００はまた、その中心に開口部を有するワッシャ２４０を含む。図６に示すように、開口部は、ねじ付きロッド１４０がワッシャを通過できるように構成されている。ワッシャ２４０の横面によって画定されるワッシャ２４０の厚さは０．５ｍｍ〜５ｍｍの間に含まれ、好ましくは０．８ｍｍ程度である。ワッシャは、クリートをソールに対して締め付ける間に変形できるように弾性である。したがって、クリートの締め付けに応じて、クリートはソールに対して異なった向きにすることができる。
【００４９】
本発明はまた、上述のような１つまたはいくつかクリートを含むソール３００に関する。図７および８は、取り付けキット２００を使用して取り付けられた６つのスタッド１００を含むソール３００を示す。図７に示される第１の例では、ソールは、前部３０２上の２つのクリート３１０と、サイド３０４上の２つのクリート３２０と、後部３０６上の２つのクリート３３０とを受け入れるように構成された同一のハウジングを含む。ハウジングは、クリート１００のねじ付きロッド１８０のねじピッチと適合するように同一のねじ山が切られている。各ハウジングに、道具２１０を用いてクリート１００のねじ付きロッド１８０がねじ込まれている。ワッシャ２４０が各クリートとソールとの間に介在されている。クリート３１０は、それらの後面がソール３００の後部の方に向けられるまでそれらのワッシャの厚さを減少させるように第１の締め付けトルクでねじ込まれる。言い換えると、ワッシャは、クリート３１０の前面１５０と中間壁１８０とを通る軸（ＶＲ）がソールの長手方向（ＳＳ’）に平行になるようにクリート３１０とソール３００との間で圧縮される。クリート３２０は、それらの前面がソールの外側に向けられるまでそれらのワッシャの厚さを減少させるように第２の締め付けトルクに従ってねじ込まれる。言い換えると、ワッシャは、クリート３１０の前面１５０と中間壁１８０とを通る軸（ＶＲ）がソールの長手方向（ＳＳ’）に対して垂直になるように、クリート３２０とソール３００との間で圧縮される。クリート３３０は、それらの後面がソールの前部に向けられるまでそれらのワッシャの厚さを減少させるように第３の締め付けトルクに従ってねじ込まれる。言い換えれば、ワッシャは、クリート３１０の前面１５０と中間壁１８０とを通る軸（ＶＲ）がソールの長手方向（ＳＳ’）と平行になるように、クリート３２０とソール３００との間で圧縮される。したがって、クリート３１０の後面１６０は、ユーザが前方に移動するときにソールのより良いグリップ力を提供するように向けられる。対照的に、ソールの後部に配置されたクリート３３０は、ソールのユーザが素早く停止することを可能にするためにそれらの後面１６０がソールの前部に向けられる。クリート３２０の後面１６０は、より良好な横方向の踏み込みを実現するために、ソールの内側に向けられている。
【００５０】
図８は、ソール３００上のクリート１００の第２の使用例を示す。この例は、クリート３１０の後面１６０がソールの前部の方に向けられるように１８０°回転されている点で前のものと異なる。
【００５１】
したがって、図７は、ラグビーチームのスリークォーターバックなど攻撃的選手を意図したソールへの本発明によるクリート１００の取り付け例を示し、図８は、スクラムにおける効果的な推進力を発揮するためにソールの前部における良好なグリップの質を必要とするプロップなどの守備的選手用のクリートの取り付けを示す。
【００５２】
本発明はまた、１つまたはいくつかのクリート１００を含むソール３００を備えたシューズにも関する。好ましくは、このシューズは、サッカー、ラグビー、ゴルフまたはその他で使用され得るスポーツシューズである。
【００５３】
結論として、本発明は、より優れたグリップ効果、より優れたユーザ快適性およびより優れた適応性を提供する新しいタイプのクリート１００を提案する。より正確には、本発明は、多くの道具を使用することなくユーザがソールに対する各クリートの向きを容易に修正することを可能にし、これによりユーザは地面に応じておよび／またはユーザの動きの様態に応じてユーザのシューズのグリップ力を迅速に適応させる可能性を与えられる。
【図１】
2019524413.tif 000003
【図２】
2019524413.tif 000004
【図３】
2019524413.tif 000005
【図４】
2019524413.tif 000006
【図５】
2019524413.tif 000007
【図６】
2019524413.tif 000008
【図７】
2019524413.tif 000009
【図８】
2019524413.tif 000010
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
基部（１２０）と先端部（１３０）との間に延びる前面（１５０）および後面（１６０）を有し、前記先端部（１３０）は前記クリートの前記基部（１２０）に対してオフセットされ、前記クリートは中間壁（１８０）によって分離される２つのキャビティ（１７０）を含む、シューズ用の万能クリート（１００）であって、
各キャビティ（１７０）は、前記クリートが地面から抜き取られるときに土が自然に剥落しやすいように前記クリートの前記先端部（１３０）および前記後面（１６０）の両方に向かって開かれており、基部（１２０）からは締結手段（１４０）が延び、この締結手段（１４０）は前記クリート（１００）をシューズに対して反転自在に締結できるように構成されることを特徴とするクリート（１００）。
【請求項２】
前記締結手段が前記クリートの前記基部（１２０）に対して垂直に延びるネジ付きロッド（１４０）を含むことを特徴とする請求項１に記載のクリート（１００）。
【請求項３】
前記ネジ付きロッド（１４０）をワッシャ（２４０）が取り囲んでいることを特徴とする請求項２に記載のクリート（１００）。
【請求項４】
前記ワッシャ（２４０）が、クリート（１００）をソールに固定する時に変形することができる弾性特性を有することを特徴とする請求項３に記載のクリート（１００）。
【請求項５】
前記ネジ付きロッド（１４０）をソール（３００）のねじ孔中に螺合させる時にスパイクに加える締め付けトルクに応じて厚さを変得ることができるような弾性特性を前記ワッシャ（２４０）が有することを特徴とする請求項４に記載のクリート（１００）。
【請求項６】
前記クリート（１００）の前記基部（１２０）の割線である同じキャビティ（１７０）の面（１７２、１７４）が３０°〜１２０°の間に含まれる角度、好ましくは８０°〜１００°の間の角度を形成することを特徴とする請求項１〜５のいずれか一項に記載のクリート（１００）。
【請求項７】
前記基部（１２０）の中心（Ａ）および前記先端部（１３０）の中心（Ｂ）が、前記基部（１２０）と鋭角（α）を成す直線（ＡＢ）を規定するように配置され、好ましくはこの角度の値は６０°〜８０°の間に含まれることを特徴とする、請求項１〜６のいずれか一項に記載のクリート（１００）。
【請求項８】
前記クリートの前記先端部（１３０）が前記基部（１２０）の表面の６０％未満、好ましくは５０％〜２０％の間に含まれる表面面積を有することを特徴とする、請求項１〜７のいずれか一項に記載のクリート（１００）。
【請求項９】
少なくとも１つのキャビティ（１７０）が、前記クリートの前記基部（１２０）を前記先端部（１３０）から隔てる距離の少なくとも５０％にわたって、好ましくはこの距離の少なくとも８０％にわたって延びることを特徴とする、請求項１〜８のいずれか一項に記載のクリート（１００）。
【請求項１０】
少なくとも１つのキャビティ（１７０）が、前記クリートの前記前面（１５０）の反対側の第１の面（１７２）を含むこと、および、前記第１の面（１７２）は凹状であることを特徴とする、請求項１〜９のいずれか一項に記載のクリート（１００）。
【請求項１１】
請求項１〜１０のいずれか一項に記載の少なくとも１つのクリート（１００）を含むシューズ。
【請求項１２】
少なくとも２つのクリート（３１０、３２０、３３０）の背面（１８０）が靴のソール（３００）の縦方向に対して異なる方向をいていることを特徴とする請求項１〜１０のいずれか一項に記載のクリート（３１０、３２０、３３０）を有するシューズ。
【請求項１３】
請求項１に記載のクリート（１００）と、
その中心に開口部を備える、前記ネジ付きロッド（１４０）が通過できるように構成されたワッシャ（２４０）と、
前記クリート先端部（１３０）と相補的な形状のハウジング（２３０）と、前記ネジ付きロッド（１４０）の軸を中心とした前記クリート（１００）の回転を促すように構成された把持手段（２２０）とを含む道具（２１０）と
を含むクリート取り付けキット（２００）。
【請求項１４】
弾性ワッシャを含み、このワッシャ（２４０）が、クリート（１００）をソールに固定する時に変形することができる弾性特性を有することを特徴とする請求項１３に記載のクリート取り付けキット（２００）。
【手続補正２】
【補正対象書類名】明細書
【補正対象項目名】００４９
【補正方法】変更
【補正の内容】
【００４９】
本発明はまた、上述のような１つまたはいくつかクリートを含むソール３００に関する。図７および８は、取り付けキット２００を使用して取り付けられた６つのスタッド１００を含むソール３００を示す。図７に示される第１の例では、ソールは、前部３０２上の２つのクリート３１０と、サイド３０４上の２つのクリート３２０と、後部３０６上の２つのクリート３３０とを受け入れるように構成された同一のハウジングを含む。ハウジングは、クリート１００のねじ付きロッド１４０のねじピッチと適合するように同一のねじ山が切られている。各ハウジングに、道具２１０を用いてクリート１００のねじ付きロッド１４０がねじ込まれている。ワッシャ２４０が各クリートとソールとの間に介在されている。クリート３１０は、それらの後面がソール３００の後部の方に向けられるまでそれらのワッシャの厚さを減少させるように第１の締め付けトルクでねじ込まれる。言い換えると、ワッシャは、クリート３１０の前面１５０と中間壁１８０とを通る軸（ＶＲ）がソールの長手方向（ＳＳ’）に平行になるようにクリート３１０とソール３００との間で圧縮される。クリート３２０は、それらの前面がソールの外側に向けられるまでそれらのワッシャの厚さを減少させるように第２の締め付けトルクに従ってねじ込まれる。言い換えると、ワッシャは、クリート３１０の前面１５０と中間壁１８０とを通る軸（ＶＲ）がソールの長手方向（ＳＳ’）に対して垂直になるように、クリート３２０とソール３００との間で圧縮される。クリート３３０は、それらの後面がソールの前部に向けられるまでそれらのワッシャの厚さを減少させるように第３の締め付けトルクに従ってねじ込まれる。言い換えれば、ワッシャは、クリート３１０の前面１５０と中間壁１８０とを通る軸（ＶＲ）がソールの長手方向（ＳＳ’）と平行になるように、クリート３２０とソール３００との間で圧縮される。したがって、クリート３１０の後面１６０は、ユーザが前方に移動するときにソールのより良いグリップ力を提供するように向けられる。対照的に、ソールの後部に配置されたクリート３３０は、ソールのユーザが素早く停止することを可能にするためにそれらの後面１６０がソールの前部に向けられる。クリート３２０の後面１６０は、より良好な横方向の踏み込みを実現するために、ソールの内側に向けられている。
【国際調査報告】
2019524413.tif 000011
2019524413.tif 000012
2019524413.tif 000013
2019524413.tif 000014
2019524413.tif 000015
2019524413.tif 000016
2019524413.tif 000017
2019524413.tif 000018
2019524413.tif 000019
2019524413.tif 000020